(57)【特許請求の範囲】
【請求項１】
光ファイバ芯線を先端に有する光ファイバテープを挿入する後側開口部と、挿入された光ファイバテープ先端の光ファイバ芯線を前方外側に露出させる前側開口部とを備えるとともに、光コネクタフェルールの後端側に形成された挿入開口部に挿入される光コネクタフェルール用ブーツであって、
前記ブーツの表面には、当該ブーツの挿入方向に対して直角方向に沿って、前記光コネクタフェルール後端側の挿入開口部に挿入されることで圧潰可能とした突条を設けてなることを特徴とする光コネクタフェルール用ブーツ。
【請求項２】
光ファイバ芯線を先端に有するブーツを挿入支持するべく後端側に形成された挿入開口部と、
該挿入開口部の内奥部に前記光ファイバ芯線の先端部側を挿入して当該先端部を外方に露出させるべく前端側に備えた光ファイバ芯線挿通孔とを連設し、
前記挿入開口部の内奥部側から光ファイバ芯線挿通孔の後端開口部側にかけて接着剤を充填し前記光ファイバ芯線を固着させるべく上面に開穿された接着剤充填用窓部を有してなる光コネクタフェルールを備え、
他方、前記ブーツの表面には、当該ブーツの挿入方向に対して直角方向に沿って、前記フェルール本体後端側の挿入開口部に挿入されることで圧潰可能とした突条を設けてなることを特徴とする光コネクタフェルール用ブーツ。
【請求項３】
前記フェルール本体は、その前面から後面にかけて貫設した左右一対の位置決め用のガイドピン挿入孔を備え、前面における両ガイドピン挿入孔の間に複数の前記光ファイバ芯線挿通孔が並設されてなり、他方、前記ブーツには、前記フェルール本体の前記接着剤充填用窓部から注入して当該ブーツと、前記フェルール本体後端側の挿入開口部との隙間から漏れ出した接着剤を停留可能とした接着剤溜部を前記突条の前後に近接して凹設してなることを特徴とする請求項１または２記載の光コネクタフェルール用ブーツ。
【請求項４】
前記ブーツの前端部側に位置する前記接着剤溜部の前方縁側には、当該接着剤溜部に接着剤を誘い込むための接着剤誘導溝を設けてなることを特徴とする請求項１乃至３のいずれかに記載の光コネクタフェルール用ブーツ。
【発明の詳細な説明】
【技術分野】
【０００１】
本発明は、光ファイバ芯線及び光ファイバテープ芯線の接続に用いる例えばＭｅｃｈａｎｉｃａｌｌｙ−Ｔｒａｎｓｆｅｒａｂｌｅ−Ｓｐｌｉｃｉｎｇ−Ｃｏｎｎｅｃｔｏｒ（以下、ＭＴコネクタと称す）、Ｍｕｌｔｉｆｉｂｅｒ−Ｐｕｓｈ−Ｏｎ（以下、ＭＰＯコネクタと称す）等の多芯一括コネクタ成形用の光コネクタフェルールに使用されるブーツに関する。
【背景技術】
【０００２】
従来、ＳＭ型光ファイバ単芯線およびテープ芯線を一括低損失接続するためのコネクタとして、例えば４芯、８芯、１２芯等のシングルモード型光ファイバテープを収納した高密度多芯ケーブルの開発に伴い、高密度で能率良く光ファイバを接続できる多芯一括コネクタが使用されている。この接続方式は多芯の光ファイバを位置決め固定したフェルール同士を２本のガイドピンで位置合わせして嵌合する方式で、このコネクタは光ファイバテープの一括接続に加え、機械的な高速切替にも適用できることからＭＴコネクタと呼ばれ、近年、アクセス系多芯ケーブルの４芯、８芯、１２芯光ファイバテープ接続用コネクタとして実用化されている。
【０００３】
また、近年においては、超多芯ケーブルの接続用にさらに多芯の２４芯、７２芯一括コネクタとしてプッシュプル操作で容易に着脱できるようにしたＭＰＯコネクタも実用化されている。
【０００４】
具体的には特許文献１に開示されているように、前端部にファイバ穴があり、ガイドピン穴に挿入される嵌合ピンにより相手側フェルールと位置決めされる方式の光コネクタのフェルールが、前記ファイバ穴とガイドピン穴を含む部品であるところの接続端部と、当該接続端部以外の部品であるところの本体後部とを組み合わせてなり、本体後部は、接続端部を除いた部分で、内部に内部空間を含み、該内部空間を被覆挿入部とブーツ挿入部とからなるようにしたものが公知である。
【０００５】
上記した特許文献１の両コネクタは、図１０（ａ）及び図１０（ｂ）に示すように、フェルール本体１００の上面に接着剤充填用の窓部１０１を備えると共に、フェルール本体１００の前端面から後端面にかけて貫設した左右一対の位置決め用のガイドピン挿入孔１０２を備え、前端面における両ガイドピン挿入孔１０２の間に複数の光ファイバ芯線挿通孔１０３が並設されている。さらに、フェルール本体１００の後端面に、矩形筒状のブーツ１０６（図９（ａ）及び図９（ｂ）参照）を挿入支持する矩形開口状の挿入開口部１０４を備え、またフェルール本体１００の後端側には当該フェルール本体１００の外周面より外方へ突出した鍔部１０５を備えた構造である。
【０００６】
而して、上記ブーツ１０６は、図９（ａ）、図９（ｂ）に示すように、矩形筒状に形成され、その上下左右の外壁面はフラットな面となっている。また、前記ブーツ１０６の前端部の横長な後側開口部１０７ａの縦幅と横幅は、シングルモード型光ファイバテープＴの厚さと横幅に対応した大きさとなっていて、前記ブーツ１０６の後端部の横長な前側開口部１０７ｂの縦幅は、シングルモード型光ファイバテープＴの前端部から突出している１２芯の光ファイバ芯線Ｆのみが外方に突出できる程度に、上記前端部の後側開口部１０７ａの縦幅よりも若干小さくなっている。
【先行技術文献】
【特許文献】
【０００７】
【特許文献１】特開２００１−８３３６７号公報
【発明の概要】
【発明が解決しようとする課題】
【０００８】
ところで、上記した特許文献１の場合においては、組立時に例えばエポキシ樹脂系等の強力な接着剤を接着剤充填用の窓部１０１からフェルール本体１００内に注入して窓部１０１自体を閉塞硬化させることにより、シングルモード型光ファイバテープＴ前端部を光ファイバ芯線Ｆとともにフェルール本体１００内に固定する構造となっている。ただ、この場合においては、フェルール本体１００の後端面の挿入開口部１０４と、当該挿入開口部１０４に挿入されたブーツ外壁との間の隙間から過剰となった前記接着剤が漏れ出る虞がある。
【０００９】
このような接着剤漏れによって懸念される影響としては、例えば、接着剤が漏れて硬化した部分に不図示の別部品が取り付けられた際に、この接着剤のはみ出た厚み分の隙間がフェルール本体１００と別部品との間に生じてしまう虞がある。また、前記漏れ出した接着剤が左右一対のガイドピン挿入孔１０２にも浸入し硬化することで、ガイドピン挿入孔１０２自体が閉塞してしまう虞もある。
【００１０】
そこで、本発明は、叙上のような従来存した諸事情に鑑み案出されたもので、フェルール本体内部に充填した接着剤が、挿入開口部に挿入されているブーツと当該挿入開口部との間の隙間から漏れ出てしまうのを未然に防ぐことができる構成とした光コネクタフェルール用ブーツを提供することを目的とする。
【課題を解決するための手段】
【００１１】
上述した課題を解決するために、本発明にあっては、
光ファイバ芯線を先端に有する光ファイバテープを挿入する後側開口部と、挿入された光ファイバテープ先端の光ファイバ芯線を前方外側に露出させる前側開口部とを備えるとともに、光コネクタフェルールの後端側に形成された挿入開口部に挿入される光コネクタフェルール用ブーツであって、
前記ブーツの表面には、当該ブーツの挿入方向に対して直角方向に沿って、前記光コネクタフェルール後端側の挿入開口部に挿入されることで圧潰可能とした突条を設けてなることを特徴とする。
【００１２】
光ファイバ芯線を先端に有するブーツを挿入支持するべく後端側に形成された挿入開口部と、
該挿入開口部の内奥部に前記光ファイバ芯線の先端部側を挿入して当該先端部を外方に露出させるべく前端側に備えた光ファイバ芯線挿通孔とを連設し、
前記挿入開口部の内奥部側から光ファイバ芯線挿通孔の後端開口部側にかけて接着剤を充填し前記光ファイバ芯線を固着させるべく上面に開穿された接着剤充填用窓部を有してなる光コネクタフェルールを備え、
前記ブーツの表面には、当該ブーツの挿入方向に対して直角方向に沿って、前記フェルール本体後端側の挿入開口部に挿入されることで圧潰可能とした突条を設けてなることを特徴とする。
【００１３】
前記フェルール本体は、その前面から後面にかけて貫設した左右一対の位置決め用のガイドピン挿入孔を備え、前面における両ガイドピン挿入孔の間に複数の前記光ファイバ芯線挿通孔が並設されてなり、前記ブーツには、前記フェルール本体の前記接着剤充填用窓部から注入して当該ブーツと、前記フェルール本体後端側の挿入開口部との隙間から漏れ出した接着剤を停留可能とした接着剤溜部を前記突条の前後に近接して凹設してなることを特徴とする。
【００１４】
前記ブーツの前端部側に位置する前記接着剤溜部の前方縁側には、当該接着剤溜部に接着剤を誘い込むための接着剤誘導溝を設けてなることを特徴とする。
【発明の効果】
【００１５】
本発明によれば、フェルール本体内部に充填した接着剤が、前記フェルール本体後端側の挿入開口部に挿入されているブーツと、当該挿入開口部との間の隙間から漏れ出てしまうのを未然に防ぐことができる光コネクタフェルール用ブーツを提供することができる。
【００１６】
すなわち、光ファイバ芯線を先端に有する光ファイバテープを挿入する後側開口部と、挿入された光ファイバテープ先端の光ファイバ芯線を前方外側に露出させる前側開口部とを備えるとともに、光コネクタフェルールの後端側に形成された挿入開口部に挿入される光コネクタフェルール用ブーツであって、
前記ブーツの表面には、当該ブーツの挿入方向に対して直角方向に沿って、前記光コネクタフェルール後端側の挿入開口部に挿入されることで圧潰可能とした突条を設けてなること、具体的には、光ファイバ芯線を先端に有するブーツを挿入支持するべく後端側に形成された挿入開口部と、
該挿入開口部の内奥部に前記光ファイバ芯線の先端部側を挿入して当該先端部を外方に露出させるべく前端側に備えた光ファイバ芯線挿通孔とを連設し、
前記挿入開口部の内奥部側から光ファイバ芯線挿通孔の後端開口部側にかけて接着剤を充填し前記光ファイバ芯線を固着させるべく上面に開穿された接着剤充填用窓部を有してなる光コネクタフェルールを備え、
前記ブーツの表面には、当該ブーツの挿入方向に対して直角方向に沿って、前記フェルール本体後端側の挿入開口部に挿入されることで圧潰可能とした突条を設けてなるものであるから、
前記フェルール本体内部に充填した接着剤がブーツと、前記フェルール本体後端側の挿入開口部との隙間から漏れ出そうになったとしても当該接着剤を、前記挿入開口部に挿入し圧潰された突条によって未然に堰き止めておくことができる。
【００１７】
これによって、従来のように、フェルール本体の前記挿入開口部側に別部品が取り付けられた際において、接着剤のはみ出た厚み分の隙間がフェルール本体と別部品との間に生じてしまうのを防止することができる。
【００１８】
前記フェルール本体は、その前面から後面にかけて貫設した左右一対の位置決め用のガイドピン挿入孔を備え、前面における両ガイドピン挿入孔の間に複数の前記光ファイバ芯線挿通孔が並設されてなり、他方、前記ブーツには、フェルール本体の前記接着剤充填用窓部から注入して当該ブーツと、前記フェルール本体後端側の挿入開口部との隙間から漏れ出した接着剤を停留可能とした接着剤溜部を前記突条の前後に近接して凹設してなるものであるから、前記接着剤充填用窓部から注入した接着剤が前記ブーツと前記フェルール本体の挿入開口部との隙間から漏れ出そうとしても当該接着剤を接着剤溜部で未然に溜めておくことができ、これによって従来品のような、前記接着剤が漏れ出した場合の左右一対のガイドピン挿入孔内部への浸入も未然に防止することができる。しかも、各接着剤溜部に停留した接着剤の硬化後には、前記ブーツは前記フェルール本体に対し強固（頑丈）に固定された状態とすることができる。
【００１９】
前記ブーツの前端部側に位置する前記接着剤溜部の前方縁側には、当該接着剤溜部に接着剤を誘い込むための接着剤誘導溝を設けてあるので、該接着剤誘導溝を通じて、上面前端部側に位置する接着剤溜部に接着剤が誘い込まれることで平面視略Ｔ字状となって当該接着剤が充填されることから、前記フェルール本体後端側の挿入開口部から当該ブーツが確実に抜けないようにすることができる。
【図面の簡単な説明】
【００２０】
【図１】本発明を実施するための一形態におけるブーツを示すもので、（ａ）は斜め前方側から見た斜視図、（ｂ）は斜め後方側から見た斜視図である。
【図２】同じくブーツを示すもので、（ａ）は平面図、（ｂ）は側面図、（ｃ）は底面図、（ｄ）は正面図、（ｅ）は背面図である。
【図３】同じくブーツを示すもので、（ａ）は図２（ａ）のＡ−Ａ断面図、（ｂ）は図２（ｂ）のＢ−Ｂ断面図である。
【図４】光コネクタフェルールを示すもので、（ａ）は平面図、（ｂ）は図３（ａ）のＣ−Ｃ断面図である。
【図５】光コネクタフェルールのブーツ組立使用状態を斜め後方側から視た状態の斜視図である。
【図６】同じく光コネクタフェルールのブーツ組立使用状態を斜め前方側から視た状態の斜視図である。
【図７】同じく光コネクタフェルールのブーツ組立使用状態の側断面図である。
【図８】同じく光コネクタフェルールのブーツ組立使用状態の平断面図である。
【図９】従来例におけるブーツを示すもので、（ａ）は斜め前方側から見た斜視図、（ｂ）は斜め後方側から見た斜視図である。
【図１０】従来例における光コネクタフェルールのブーツ組立使用状態を示すもので、（ａ）は斜め後方側から視た状態の斜視図、（ｂ）は側断面図である。
【発明を実施するための形態】
【００２１】
以下、図面を参照して本発明の実施の一形態を詳細に説明する。
本実施形態において、本発明に係る多芯一括コネクタ成形用の光コネクタフェルールは、図４乃至図８に示すように、１２芯のシングルモード型光ファイバテープＴを収納した高密度多芯ケーブルを接続できる多芯一括ＭＴコネクタとして使用される略長方形筐体状に樹脂成型されたフェルール本体１０によって構成されており、この接続方式は多芯の光ファイバを位置決め固定したフェルール本体１０同士を２本のガイドピンで位置合わせして嵌合する方式としている。
【００２２】
なお、以下の説明においては、上記構成によるＭＴコネクタに関してのものであるが、これに限らず、例えば４芯、８芯等のシングルモード型光ファイバテープＴを収納した高密度多芯ケーブル接続用のＭＴコネクタ、さらには超多芯ケーブルの接続用に多芯の１６芯、８０芯等の一括コネクタとしてプッシュプル操作で容易に着脱できるようにした例えばＭＰＯコネクタ等の多芯一括コネクタにも応用可能である。
【００２３】
＜ブーツの構成＞
前記フェルール本体１０の後端面側に形成された後述する矩形開口状の挿入開口部１４に、例えば１２芯の光ファイバ芯線Ｆをテープ状に束ねてなるシングルモード型光ファイバテープＴが挿入固定された略角筒状のブーツＢが装着される。
【００２４】
以下に、このブーツＢの具体的な構成について説明すると、図１（ａ）、図１（ｂ）、図２（ｄ）、図２（ｅ）、図３（ａ）に示すように、前記ブーツＢの前端部の横長な前側開口部２１ａの縦幅と横幅は、シングルモード型光ファイバテープＴの厚さと横幅に対応した大きさとなっていて、前記ブーツＢの後端部の横長な後側開口部２１ｂの縦幅は、シングルモード型光ファイバテープＴの前端部から突出している例えば１２芯の光ファイバ芯線Ｆのみが外方に突出できる程度に、上記前端部の前側開口部２１ａの縦幅よりも若干大きくなっている。
【００２５】
また、図１（ａ）、図１（ｂ）、及び図２（ａ）、図２（ｂ）、図２（ｃ）、図３（ａ）、図３（ｂ）に示すように、前記ブーツＢには、当該ブーツＢの挿入方向に対して直角方向に沿った表面全周に、前記フェルール本体１０の後端側に形成された挿入開口部１４に挿入されることで圧潰可能とした３本の突条２２ａ、２２ｂ、２２ｃを設けてある。なお、これら突条２２ａ、２２ｂ、２２ｃは、３本とする代わりに１本もしくは２本、または４本以上であっても良い。また、これら突条２２ａ、２２ｂ、２２ｃは図示ではブーツＢの全周に形成されているが、上下面のみに形成させてあっても良い。
【００２６】
さらに、前記ブーツＢ表面の上下対称位置には、図１（ａ）、図１（ｂ）、図２（ａ）、図２（ｃ）、図３（ａ）に示すように、前記突条２２ａ、２２ｂ、２２ｃそれぞれの前後に近接して矩形凹溝状の４個の接着剤溜部２３ａ、２３ｂ、２３ｃ、２３ｄが各凹設され、これにより、前記フェルール本体１０の後述する接着剤充填用窓部１１から注入して当該ブーツＢと前記フェルール本体１０の挿入開口部１４との隙間から漏れ出した接着剤Ｖを停留可能となるようにしてある。具体的には、最前端側に位置する接着剤溜部２３ａの後縁側に隣接するように１番目の前記突条２２ａが形成され、後方２番目に位置する接着剤溜部２３ｂの後縁側に隣接するように２番目の前記突条２２ｂが形成され、後方３番目に位置する接着剤溜部２３ｃの後縁側に隣接するように３番目の前記突条２２ｃが形成されている。
【００２７】
以上、前記ブーツＢに形成された前記突条２２ａ、２２ｂ、２２ｃは、矩形溝状の接着剤溜部２３ａ、２３ｂ、２３ｃ、２３ｄを介して、多重に並行配置された「堰」となって形成され、前記ブーツＢと前記フェルール本体１０との間の隙間を閉鎖する。上述したように、前記フェルール本体１０の挿入開口部１４の縦横幅サイズはブーツＢの縦横幅サイズと略同じか若干大きいものとし、前記フェルール本体１０の挿入開口部１４に前記ブーツＢが挿入された際には前記突条２２ａ、２２ｂ、２２ｃが任意の高さまで容易に圧潰され易いようにするために、前記ブーツＢの縦横幅サイズに応じて、当該ブーツＢ表面からの高さを例えば約０．１〜０．５ｍｍ程度としている（図７、図８参照）。
なお、この高さは本発明の技術的範囲を何等限定するものではないことはもちろんである。
【００２８】
また、図２（ａ）、図２（ｃ）、図７に示すように、前記ブーツＢの上下両面の各最前端側に位置する前記接着剤溜部２３ａの前方縁側（図中では、前方下り傾斜面となっている部分）の中央には、当該接着剤溜部２３ａ内に接着剤Ｖを誘い込むための接着剤誘導溝２４を設けてあり、該接着剤誘導溝２４を通じて、前記接着剤溜部２３ａに接着剤Ｖが誘い込まれることで平面視略Ｔ字状となって当該接着剤Ｖが充填されるようにしてある。
【００２９】
＜フェルール本体の構成＞
前記フェルール本体１０の具体的な構成について説明すると、図４（ａ）及び図４（ｂ）に示すように、当該フェルール本体１０の後端面側には、１２芯の光ファイバ芯線Ｆをテープ状に束ねてなるシングルモード型光ファイバテープＴが挿入固定された略角筒状のブーツＢを装着するための矩形開口状の挿入開口部１４が形成されている。この挿入開口部１４を通して前記ブーツＢの前端側一部（約半分）が収容されるよう当該フェルール本体１０の内部がブーツＢの収納空間部Ｓとなっている。
【００３０】
また、図４（ｂ）、図６、図７、図８に示すように、前記フェルール本体１０の前端面側には、１２個の小孔状となった光ファイバ芯線挿通孔１３が前記フェルール本体１０の挿入開口部１４の内奥部（ブーツＢの収納空間部Ｓの前方端内壁）位置まで穿設され、これにより各光ファイバ芯線挿通孔１３は前記ブーツＢの収納空間部Ｓに連通した状態となっている。
【００３１】
図示（図４（ｂ）、図７等参照）による例では、後述する接着剤充填用窓部１１の後側縁部位置に対向するよう収納空間部Ｓの内奥部手前位置に段差部１７が形成されており、この段差部１７によって、挿入されたブーツＢの先端面下部側が接着剤充填用窓部１１手前で係止されるものとなっている。このとき、前記シングルモード型光ファイバテープＴの先端側から突出した１２芯の光ファイバ芯線Ｆの各先端部側は、これら１２個の光ファイバ芯線挿通孔１３に、前記ブーツＢの収納空間部Ｓ内側から各挿入され、当該先端部の端面をフェルール本体１０の前面側に露呈させるものとしてある。
【００３２】
すなわち、前記フェルール本体１０の上面略中央には、略矩形開口状の接着剤充填用窓部１１が開穿され、前記フェルール本体１０の挿入開口部１４の内奥部側（ブーツＢの収納空間部Ｓの前方端内壁）から１２個の光ファイバ芯線挿通孔１３の各後端開口部側にかけてのフェルール本体１０上側半分が抉られた状態となっており、前記光ファイバ芯線挿通孔１３の各後端開口部から接着剤充填用窓部１１の略中間に対向する位置にかけて合計１２個のＵ型のガイド溝１８が形成されている（図４（ｂ）、図７等参照）。
【００３３】
図４（ａ）では前記光ファイバ芯線挿通孔１３の後端開口部側とＵ型のガイド溝１８が接着剤充填用窓部１１を通して視認可能となっている。前記フェルール本体１０の挿入開口部１４にブーツＢが装着され且つ各光ファイバ芯線挿通孔１３に光ファイバ芯線Ｆの各先端部側が挿入されている状態において、この接着剤充填用窓部１３から例えばエポキシ樹脂系の接着剤Ｖを注入することにより、前記各光ファイバ芯線Ｆ、例えば前記シングルモード型光ファイバテープＴの先端側から突出した１２芯の光ファイバ芯線Ｆの各根元部分がフェルール本体１０に固着されるものとなっている。
【００３４】
また、図５、図６、図８等に示すように、前記フェルール本体１０の前端面から後端面にかけて、左右一対の位置決め用のガイドピン挿入孔１２が貫設されており、フェルール本体１０の前端面における前記１２個の光ファイバ芯線挿通孔１３が両ガイドピン挿入孔１２の間に横一列となって並置された状態となっている。
【００３５】
なお、図４乃至図８等に示すように、フェルール本体１０の後端側には当該フェルール本体１０の外周面より外方へ突出した鍔部１５を備えている。
【００３６】
次に、以上のように構成された形態についての組立使用の一例について説明する。
図４乃至図７に示すように、１２芯の光ファイバ芯線Ｆをテープ状に束ねてなるシングルモード型光ファイバテープＴが装着されているブーツＢを、フェルール本体１０の挿入開口部１４に挿入する。このとき、３本の上記突条２２ａ、２２ｂ、２２ｃそれぞれが任意の高さまで圧潰され、前記ブーツＢと前記フェルール本体１０との間の隙間を閉鎖する。
【００３７】
そして、上記のようにして挿入されたブーツＢの先端面下部側は前記フェルール本体１０の収納空間部Ｓ内の段差部１７によって接着剤充填用窓部１１手前で係止されると同時に、シングルモード型光ファイバテープＴの先端側の１２芯の光ファイバ芯線Ｆの各先端部側がＵ型のガイド溝１８に沿って１２個の光ファイバ芯線挿通孔１３に各挿入され、当該先端部の端面がフェルール本体１０の前面側に露呈する。
【００３８】
次いで、前記フェルール本体１０の接着剤充填用窓部１１から接着剤Ｖを注入することにより、前記シングルモード型光ファイバテープＴの先端側から突出した１２芯の光ファイバ芯線Ｆの各根元部分がフェルール本体１０に接着一体化され、シングルモード型光ファイバテープＴの先端部分と、当該先端部分から突出している光ファイバ芯線Ｆの根元部分とがともに当該接着剤Ｖによって固着される。このとき、前記ブーツＢ中央に設けられた接着剤誘導溝２４を通じて、当該ブーツＢの上下面の各最前端側に位置する上記接着剤溜部２３ａに接着剤Ｖが誘い込まれて平面視略Ｔ字状となって当該接着剤Ｖが充填される。
【００３９】
而して、前記接着剤充填用窓部１１から接着剤Ｖが注入された際に、ブーツＢとフェルール本体１０の挿入開口部１４との隙間から接着剤Ｖが、漏れ出そうになったとしても当該接着剤Ｖを、前記挿入開口部１４に挿入し圧潰されて当該挿入開口部１４内壁に食い込んで密着した状態となった前記複数の突条２２ａ、２２ｂ、２２ｃによって未然に堰き止めておくことができると同時に、万が一、最初の部分で漏れ出したとしても、前記複数の接着剤溜部２３ａ、２３ｂ、２３ｃ、２３ｄ（特に、最後部の接着剤溜部２３ｄの存在）によって、当該接着剤Ｖを完全に停留させておくことができる。これにより、従来品のような漏れ出した接着剤Ｖの左右一対のガイドピン挿入孔１２内部等への侵入が未然に食い止められる。
因みに、以上は全てＭＴコネクタのみについて説明してきたが、本発明は、他形式の多芯光コネクタにも適用可能である。
【符号の説明】
【００４０】
Ｂ                              ブーツ
Ｖ                              接着剤
Ｔ                              光ファイバテープ
Ｆ                              光ファイバ芯線
Ｓ                              収納空間部
１０                            フェルール本体
１１                            接着剤充填用窓部
１２                            ガイドピン挿入孔
１３                            光ファイバ芯線挿通孔
１４                            挿入開口部
１５                            鍔部
１７                            段差部
１８                            ガイド溝
２１ａ                          前側開口部
２１ｂ                          後側開口部
２２ａ、２２ｂ、２２ｃ          突条
２３ａ、２３ｂ、２３ｃ、２３ｄ  接着剤溜部
２４                            接着剤誘導溝
１００                          フェルール本体
１０１                          窓部
１０２                          ガイドピン挿入孔
１０３                          光ファイバ芯線挿通孔
１０４                          挿入開口部
１０５                          鍔部
１０６                          ブーツ
１０７ａ                        前側開口部
１０７ｂ                        後側開口部
【図１】
0006496611.tif 000002
【図２】
0006496611.tif 000003
【図３】
0006496611.tif 000004
【図４】
0006496611.tif 000005
【図５】
0006496611.tif 000006
【図６】
0006496611.tif 000007
【図７】
0006496611.tif 000008
【図８】
0006496611.tif 000009
【図９】
0006496611.tif 000010
【図１０】
0006496611.tif 000011